(57)【要約】【課題】冷陰極蛍光ランプ、それの製造方法、それを有するバックライトアセンブリ及び液晶表示装置を提供する。【解決手段】冷陰極蛍光ランプは放電ガスは注入されたランプチューブ、ランプチューブの内面に形成された蛍光層、ランプチューブの両端部の内部に配置された内部電極、内部電極と連結されランプチューブの外部に引出されたリードワイヤ、及びランプチューブの両端部に結合されリードワイヤと電気的に連結された導電キャップを含む。導電キャップはランプチューブの外面を取り囲む第１キャップ部及びリードワイヤの外面を取り囲む第２キャップ部を含む。従って、冷陰極蛍光ランプの組立性が向上され、冷陰極蛍光ランプの並列駆動が可能となる。【選択図】図１
2006351529.tif 000002
【特許請求の範囲】
【請求項１】
放電ガスが注入されたランプチューブと、
前記ランプチューブの内面に形成された蛍光層と、
前記ランプチューブの両端部の内部に配置された内部電極と、
前記内部電極と連結され、前記ランプチューブの外部に引出されたリードワイヤと、
前記ランプチューブの両端部に結合され、前記リードワイヤと電気的に連結される導電キャップと、
を含むことを特徴とする冷陰極蛍光ランプ
【請求項２】
前記導電キャップは、
前記ランプチューブの外面を取り囲む第１キャップ部と、
前記リードワイヤの外面を取り囲む第２キャップ部と、を含むことを特徴とする請求項１記載の冷陰極蛍光ランプ。
【請求項３】
前記導電キャップは、金属または合金からなることを特徴とする請求項１記載の冷陰極蛍光ランプ。
【請求項４】
前記リードワイヤと前記導電キャップとの間に配置された導電性接着剤をさらに含むことを特徴とする請求項１記載の冷陰極蛍光ランプ。
【請求項５】
前記導電性接着剤は、銀ペーストからなることを特徴とする請求項４記載の冷陰極蛍光ランプ。
【請求項６】
ランプチューブを製造する段階と、
前記ランプチューブの内面に蛍光層を形成する段階と、
前記ランプチューブの両端部の内部にリードワイヤと連結された内部電極を配置する段階と、
前記ランプチューブ内に放電ガスを注入し、前記リードワイヤが引出されるように前記ランプチューブを密封する段階と、
前記リードワイヤと電極的に連結するように導電キャップを前記ランプチューブの両端部に結合する段階と、
を含むことを特徴とする冷陰極蛍光ランプの製造方法。
【請求項７】
前記導電キャップは、
前記ランプチューブの外面を取り囲む第１キャップ部と、
前記リードワイヤの外面を取り囲む第２キャップ部と、を含むことを特徴とする請求項６記載の冷陰極蛍光ランプの製造方法。
【請求項８】
前記リードワイヤと前記導電キャップとの間に導電性接着剤を形成する段階をさらに含むことを特徴とする請求項６記載の冷陰極蛍光ランプの製造方法。
【請求項９】
収納容器と、
前記収納容器の両サイドに配置される導電性固定部材と、
前記固定部材に結合され互いに並行に配置される冷陰極蛍光ランプと、
を含み、
前記冷陰極蛍光ランプは、
放電ガスが注入されたランプチューブと、前記ランプチューブの内面に形成された蛍光層と、前記ランプチューブの両端部の内部に配置された内部電極と、前記内部電極と連結され、前記ランプチューブの外部に引出されたリードワイヤと、前記ランプチューブの両端部に結合され、前記リードワイヤと電気的に連結される導電キャップと、
を含むことを特徴とするバックライトアセンブリ。
【請求項１０】
前記固定部材は、
前記冷陰極蛍光ランプの前記導電キャップ領域が挿入固定されるクリップ部を含むことを特徴とする請求項９記載のバックライトアセンブリ。
【請求項１１】
前記導電キャップは、
前記ランプチューブの外面を取り囲む第１キャップ部と、
前記ワイヤーの外面を取り囲む第２キャップ部と、を含むことを特徴とする請求項１０記載のバックライトアセンブリ。
【請求項１２】
前記冷陰極蛍光ランプは、前記第１キャップ部領域が前記クリップ部に結合されることを特徴とする請求項１１記載のバックライトアセンブリ。
【請求項１３】
前記冷陰極蛍光ランプは、前記第２キャップ部領域が前記クリップ部に結合されることを特徴とする請求項１１記載のバックライトアセンブリ。
【請求項１４】
前記冷陰極蛍光ランプは、
前記リードワイヤと前記導電キャップとの間に配置された導電性接着剤をさらに含むことを特徴とする請求項９記載のバックライトアセンブリ。
【請求項１５】
前記固定部材にランプ駆動電源を提供するインバータと、
前記冷陰極蛍光ランプの上部に配置される光学部材と、をさらに含むことを特徴とする請求項９記載のバックライトアセンブリ。
【請求項１６】
前記冷陰極蛍光ランプは、
前記インバータから提供される前記ランプ駆動電極によって並列駆動されることを特徴とする請求項１５記載のバックライトアセンブリ。
【請求項１７】
前記光学部材は、
光の拡散のための拡散板と、
前記拡散板の上部に配置される光学シートと、を含むことを特徴とする請求項１５記載のバックライトアセンブリ。
【請求項１８】
前記収納容器と前記固定部材との間に配置され、前記固定部材が結合される第１サイドモールドと、
前記導電キャップ領域をカバーし、前記光学部材を支持する第２サイドモールドと、を含むことを特徴とする請求項１５記載のバックライトアセンブリ。
【請求項１９】
収納容器、前記収納容器の両サイドに配置される導電性の固定部材、及び前記固定部材に結合され互いに並行に配置される冷陰極蛍光ランプを含むバックライトアセンブリと、
前記バックライトアセンブリから供給される光を用いて画像を表示する表示ユニットと、
を含み、
前記冷陰極蛍光ランプは、
放電ガスが注入されたランプチューブと、
前記ランプチューブの内面に形成された蛍光層と、前記ランプチューブの両端部の内部に配置された内部電極と、前記内部電極と連結され、前記ランプチューブの外部に引出しされたリードワイヤと、前記ランプチューブの両端部に結合され、前記リードワイヤと電気的に連結される導電キャップと、
を含むことを特徴とする液晶表示装置。
【請求項２０】
前記固定部材は、
前記冷陰極蛍光ランプの前記導電キャップ領域が挿入固定されるクリップ部を含むことを特徴とする請求項１９記載の液晶表示装置。
【請求項２１】
前記冷陰極蛍光ランプは、
前記リードワイヤと前記導電キャップとの間に配置される導電性接着剤をさらに含むことを特徴とする請求項１９記載の液晶表示装置。
【請求項２２】
前記表示ユニットは、
画像を表示する液晶表示パネルと、
前記液晶表示パネルを駆動する駆動回路部と、を含むことを特徴とする請求項１９記載の液晶表示装置。
【請求項２３】
前記バックライトアセンブリは、
前記冷陰極蛍光ランプを並列駆動させるために前記固定部材にランプ駆動電源を提供するインバータをさらに含むことを特徴とする請求項１９記載の液晶表示装置。
【発明の詳細な説明】
【技術分野】
【０００１】
本発明は冷陰極蛍光ランプ、それの製造方法、それを有するバックライトアセンブリ及び液晶表示装置に関する。
【背景技術】
【０００２】
一般的に、液晶表示装置（ＬＣＤ）は異方性屈折率、異方性誘電率などの光学的、電気的特性を有する液晶を用いて画像を表示する表示装置である。このような液晶表示装置はＣＲＴ、ＰＤＰなどの他の表示装置に比べて薄くて軽く、低駆動電圧及び低消費電力を有するという長所があって、産業全般にかけて幅広く使用されつつある。
液晶表示装置は薄膜トランジスタ（以下、ＴＦＴ）基板、ＴＦＴ基板に対向するカラーフィルタ基板及び前記両基板の間に配置された液晶層からなる液晶表示パネルを含む。また、液晶表示装置は画像を表示するための液晶表示パネルが自発的に発光できない非発光性素子であるので、液晶表示パネルに光を供給するためのバックライトアセンブリを必要とする。
【０００３】
バックライトアセンブリは光を発生する冷陰極蛍光ランプの位置によって大きくエッジ型と直下型とで区分される。エッジ型バックライトアセンブリはアクリルなどの透明導光板の側面に冷陰極蛍光ランプを配置した構造で、製品の薄型化に有利な構造である。反面、直下型バックライトアセンブリは液晶表示パネルのすぐ下に複数の冷陰極蛍光ランプを配置した構造で、製品の高輝度化に有利な構造である。従って、高輝度を必要とするＴＶなどの大型製品には直下型バックライトアセンブリが採用されている。
【０００４】
一方、バックライトアセンブリに使用される冷陰極蛍光ランプはランプチューブの内部に電極が配置されているので、電極と連結され外部に引出されたリードワイヤを具備する。インバータからのランプ駆動電源を電極に印加するために、インバータと連結されたランプワイヤを半田付け工程を通じてリードワイヤに連結する。
【発明の開示】
【発明が解決しようとする課題】
【０００５】
しかし、バックライトアセンブリが大型サイズに近づくほど冷陰極蛍光ランプの個数が増加するので、組立性が悪くなり、ワイヤーの連結部位に断線が発生して駆動不良が発生されるという問題点がある。
従って、本発明はこのような問題点を勘案したもので、本発明は組立性を向上させることができる冷陰極蛍光ランプを提供することにある。
【０００６】
また、本発明は前記した冷陰極蛍光ランプの製造方法を提供することにある。
また、本発明は前記した冷陰極蛍光ランプを有するバックライトアセンブリを提供することにある。
また、本発明は前記した冷陰極蛍光ランプを有する液晶表示装置を提供することにある。
【課題を解決するための手段】
【０００７】
前述した本願第１発明の一特徴による冷陰極蛍光ランプは、放電ガスが注入されたランプチューブ、前記ランプチューブの内面に形成された蛍光層、前記ランプチューブの両端部の内部に配置された内部電極、前記内部電極と連結され前記ランプチューブの外部に引出されたリードワイヤ、及び前記ランプチューブの両端部に結合され前記リードワイヤと電気的に連結される導電キャップを含む。
【０００８】
内部電極と接続されるリードワイヤは、導電キャップと接続される。この導電キャップとランプに駆動電源を与えるインバータとを、例えば互いにはめ込んで接続すれば、リードワイヤとインバータとを半田により接続しなくても、これらを簡単に接続することができる。また、導電キャップは導電性を有するため、インバータの駆動電源を導電キャップを介してリードワイヤに与えることができる。このように、本願によれば、冷陰極蛍光ランプの導電キャップ領域を固定部材のクリップ部に簡単に固定することができ、冷陰極蛍光ランプの組立性を向上させることができる。
【０００９】
本願第２発明は、第１発明において、前記導電キャップは、前記ランプチューブの外面を取り囲む第１キャップ部と、前記リードワイヤの外面を取り囲む第２キャップ部と、を含むことを特徴とする冷陰極蛍光ランプを提供する。
導電キャップの第１キャップ部も第２キャップ部も導電性を有しているため、第１キャップ部又は第２キャップ部とインバータとを接続することで、リードワイヤとインバータとを簡単に電気的に接続できる。
【００１０】
本願第３発明は、第１発明において、前記導電キャップは、金属または合金からなることを特徴とする冷陰極蛍光ランプを提供する。
本願第４発明は、第１発明において、前記リードワイヤと前記導電キャップとの間に配置された導電性接着剤をさらに含むことを特徴とする冷陰極蛍光ランプを提供する。
導電性接着剤は、導電キャップとランプチューブとの端部を安定的に固定させると同時に、リードワイヤと導電キャップとを電気的に安全に連結させる。
【００１１】
本願第５発明は、第４発明において、前記導電性接着剤は、銀ペーストからなることを特徴とする冷陰極蛍光ランプを提供する。
本願第６発明の一特徴による冷陰極蛍光ランプの製造方法は、ランプチューブを製造する段階、前記ランプチューブの内面に蛍光層を形成する段階、前記ランプチューブの両端部の内部にリードワイヤと連結された内部電極を配置する段階、前記ランプチューブの内に放電ガスを注入し前記リードワイヤが引出されるように前記ランプチューブを密封する段階、及び前記リードワイヤと電気的に連結されるように導電キャップを前記ランプチューブの両端部に結合する段階を含む。
【００１２】
本願第７発明は、第６発明において、前記導電キャップは、前記ランプチューブの外面を取り囲む第１キャップ部と、前記リードワイヤの外面を取り囲む第２キャップ部と、を含むことを特徴とする冷陰極蛍光ランプの製造方法を提供する。
本願第８発明は、第６発明において、前記リードワイヤと前記導電キャップとの間に導電性接着剤を形成する段階をさらに含むことを特徴とする冷陰極蛍光ランプの製造方法を提供する。
【００１３】
本願第９発明の一特徴によるバックライトアセンブリは、収納容器、前記収納容器の両サイドに配置される導電性固定部材、及び前記固定部材に結合され互いに並行に配置される冷陰極蛍光ランプを含む。前記冷陰極蛍光ランプは、放電ガスが注入されたランプチューブ、前記ランプチューブの内面に形成された蛍光層、前記ランプチューブの両端部の内部に配置された内部電極、前記内部電極と連結され前記ランプチューブの外部に引出しされたリードワイヤ及び前記ランプチューブの両端部に結合され前記リードワイヤと電気的に連結される導電キャップを含む。
【００１４】
本願第１０発明は、第９発明において、前記固定部材は、前記冷陰極蛍光ランプの前記導電キャップ領域が挿入固定されるクリップ部を含むことを特徴とするバックライトアセンブリを提供する。
導電キャップは固定部材のクリップ部に挿入されて固定されるため、リードワイヤとインバータとを、半田で固定する場合に比べて簡単に固定することができる。
【００１５】
本願第１１発明は、第１０発明において、前記導電キャップは、前記ランプチューブの外面を取り囲む第１キャップ部と、前記ワイヤーの外面を取り囲む第２キャップ部と、を含むことを特徴とするバックライトアセンブリを提供する。
本願第１２発明は、第１１発明において、前記冷陰極蛍光ランプは、前記第１キャップ部領域が前記クリップ部に結合されることを特徴とするバックライトアセンブリを提供する。
【００１６】
本願第１３発明は、第１１発明において、前記冷陰極蛍光ランプは、前記第２キャップ部領域が前記クリップ部に結合されることを特徴とするバックライトアセンブリを提供する。
本願第１４発明は、第９発明において、前記冷陰極蛍光ランプは、前記リードワイヤと前記導電キャップとの間に配置された導電性接着剤をさらに含むことを特徴とするバックライトアセンブリを提供する。
【００１７】
本願第１５発明は、第９発明において、前記固定部材にランプ駆動電源を提供するインバータと、前記冷陰極蛍光ランプの上部に配置される光学部材と、をさらに含むことを特徴とするバックライトアセンブリを提供する。
本願第１６発明は、第１５発明において、前記冷陰極蛍光ランプは、前記インバータから提供される前記ランプ駆動電極によって並列駆動されることを特徴とするバックライトアセンブリを提供する。
【００１８】
並列に複数本配列されたランプを並列的に駆動することができ、表示装置での画像表示のムラを阻止することができる。
本願第１７発明は、第１５発明において、前記光学部材は、光の拡散のための拡散板と、前記拡散板の上部に配置される光学シートと、を含むことを特徴とするバックライトアセンブリを提供する。
【００１９】
光学シートにより、光の利用効率を高めることができる。
本願第１８発明は、第１５発明において、前記収納容器と前記固定部材との間に配置され、前記固定部材が結合される第１サイドモールドと、前記導電キャップ領域をカバーし、前記光学部材を支持する第２サイドモールドと、を含むことを特徴とするバックライトアセンブリを提供する。
【００２０】
本願第１９発明の一特徴による液晶表示装置は、バックライトアセンブリ及び表示ユニットを含む。前記バックライトアセンブリは、 収納容器、前記収納容器の両サイドに配置される導電性の固定部材及び前記固定部材に結合され互いに並行に配置される冷陰極蛍光ランプを含む。前記冷陰極蛍光ランプは、放電ガスが注入されたランプチューブ、前記ランプチューブの内面に形成された蛍光層、前記ランプチューブの両端部の内部に配置された内部電極、前記内部電極と連結され、前記ランプチューブの外部に引出されたリードワイヤ及び前記ランプチューブの両端部に結合され、前記リードワイヤと電気的に連結される導電キャップを含む。前記表示ユニットは前記バックライトアセンブリから供給される光を用いて画像を表示する。
【００２１】
本願第２０発明は、第１９発明において、前記固定部材は、前記冷陰極蛍光ランプの前記導電キャップ領域が挿入固定されるクリップ部を含むことを特徴とする液晶表示装置を提供する。
本願第２１発明は、第１９発明において、前記冷陰極蛍光ランプは、前記リードワイヤと前記導電キャップとの間に配置される導電性接着剤をさらに含むことを特徴とする液晶表示装置を提供する。
【００２２】
本願第２２発明は、第１９発明において、前記表示ユニットは、画像を表示する液晶表示パネルと、前記液晶表示パネルを駆動する駆動回路部と、を含むことを特徴とする液晶表示装置を提供する。
本願第２３発明は、第１９発明において、前記バックライトアセンブリは、前記冷陰極蛍光ランプを並列駆動させるために前記固定部材にランプ駆動電源を提供するインバータをさらに含むことを特徴とする液晶表示装置を提供する。
【発明の効果】
【００２３】
このような冷陰極蛍光ランプ、それの製造方法、それを有するバックライトアセンブリ及び液晶表示装置によると、冷陰極蛍光ランプの組立性を向上させ、冷陰極蛍光ランプの並列駆動が可能となる。
【発明を実施するための最良の形態】
【００２４】
以下、添付図面を参照して、本発明の好ましい実施形態をより詳細に説明する。
図１は本発明の一実施例による冷陰極蛍光ランプを示した斜視図であり、図２は図１のＩ−Ｉ‘線に沿って切断した断面図である。
図１及び図２に示すように、本発明の一実施例による冷陰極蛍光ランプ１００は、ランプチューブ１１０、蛍光層１２０、内部電極１３０、リードワイヤ１４０及び導電キャップ１５０を含む。
【００２５】
ランプチューブ１１０は内部で発生された可視光が透過できるように透明なガラス材質からなる。ランプチューブ１１０の内部には冷陰極蛍光ランプ１００の放電を助けるための多様な種類の放電ガスが注入されている。例えば、放電ガスは水銀（Ｈｇ）、ネオン（Ｎｅ）、アルゴン（Ａｒ）などのガスを含む。
ランプチューブ１１０は細くて長い円筒形状を有する。これに限らず、ランプチューブ１１０はＬ字形状またはＵ字形状を有してもよい。
【００２６】
蛍光層１２０はランプチューブ１１０の内面に形成される。蛍光層１２０はランプチューブ１１０の内部でプラズマ放電を通じて発生された紫外線によって励起され可視光を放出する。
内部電極１３０はランプチューブ１１０の両端部の内部に配置される。内部電極１３０は、例えば、ニケッル（Ｎｉ）、モリブデン（Ｍｏ）、ニオブ（Ｎｂ）などのように仕事関数の低い金属からなる。
【００２７】
リードワイヤ１４０は内部電極１３０にランプ駆動電源を駆動するために、一端が内部電極１３０と連結され、他端がランプチューブ１１０の外部に引出される。
導電キャップ１５０はランプチューブ１１０の両端部に結合され、リードワイヤ１４０と電気的に連結される。導電キャップ１５０はリードワイヤ１４０にランプ駆動電源を提供するために、電気導電性の優れた物質からなる。例えば、導電キャップ１５０は金属または合金からなる。
【００２８】
導電キャップ１５０はランプチューブ１１０の両端部に介在されるように、ランプチューブ１１０及びリードワイヤ１４０の形状に対応される形状を有する。具体的に、導電キャップ１５０はランプチューブ１１０の外面を取り囲む第１キャップ部１５２及びリードワイヤ１４０の外面を取り囲む第２キャップ部１５４で構成される。第１キャップ部１５２の内径はランプチューブの外径に対応し、第２キャップ部１５４の内径はリードワイヤ１４０の外径に対応する。この際、第２キャップ部１５４の内径は第１キャップ部１５２の内径より小さく形成される。
【００２９】
一方、冷陰極蛍光ランプ１００はリードワイヤ１４０と導電キャップ１５０との間に配置される導電性接着剤１６０をさらに含むことができる。導電性接着剤１６０はリードワイヤ１４０と導電キャップ１５０との間、及びランプチューブ１１０と導電キャップ１５０との間に配置されることができる。導電性接着剤１６０は導電キャップ１５０とランプチューブ１４０との端部を安定的に固定させると同時に、リードワイヤ１４０と導電キャップ１５０とを電気的に安全に連結させる。
【００３０】
導電性接着剤１６０はリードワイヤ１４０と導電キャップとの電気的な連結のために導電粒子を含む。例えば、導電性接着剤１６０は銀（Ａｇ）粒子を含む銀ペースト（Ａｇ  Ｐａｓｔｅ）からなる。
冷陰極蛍光ランプ１００はランプ本体１１０の内面と蛍光膜１２０との間に形成された保護膜（図示せず）をさらに含むことができる。保護膜はガラス材質のランプ本体１１０と放電ガスの主成分である水銀（Ｈｇ）との化学的反応を防止して水銀の吸着に起因した黒化現象を防止し、水銀の損失に起因する寿命短縮を防止する。
【００３１】
前記のような構成を有する冷陰極蛍光ランプ１００は外部から供給されるランプ駆動電源に反応して光を発生する。
冷陰極蛍光ランプ１００が光を発生する過程を見ると、まず、外部からの導電キャップ１５０に提供されるランプ駆動電源はリードワイヤ１４０を経て内部電極１３０に印加される。内部電極１３０にランプ駆動電源が印加されると、内部電極１３０から電子が放出され、放出された電子はランプチューブ１１０の内部に存在する水銀などの放電ガスと衝突する。電子との衝突によって放電ガスはイオン化され、それにより、ランプチューブ１１０の内部にはプラズマ環境が組成される。プラズマ環境が組成される過程で、放電ガスから所定の波長を有する光、例えば、紫外線が発生される。ランプチューブ１１０の内面に形成された蛍光層１２０は前記した紫外線によって励起され表示に用いられる可視光を発生する。
【００３２】
以下、本発明の一実施例による冷陰極蛍光ランプ１００の製造方法について説明する。
まず、細く長い形状のランプチューブ１１０を製造した後、ランプチューブ１１０の内面に蛍光層１２０を形成する。
以後、ランプチューブ１１０の両端部の内部にリードワイヤ１４０と連結された内部電極１３０を配置する。
【００３３】
以後、真空状態でランプチューブ１１０内に放電ガスを注入し、リードワイヤ１４０が外部に引出されるようにランプチューブ１１０の両端部を密封する。ランプチューブ１１０の密封によってリードワイヤ１４０の一部はランプチューブ１１０の内部に配置され、残りの一部はランプチューブ１１０の外部に配置される。なお、放電ガスの注入は内部電極１３０を配置する前に行われても良い。
【００３４】
以後、リードワイヤ１４０と電気的に連結されるように導電キャップ１５０をランプチューブ１１０の両端部に結合する。導電キャップ１５０はランプチューブ１１０の両端部に介在されるように、ランプチューブ１１０及びリードワイヤ１４０の形状に対応される形状を有する。
具体的に、導電キャップ１５０はランプチューブ１１０の外面を取り囲む第１キャップ部１５２、及びリードワイヤ１４０の外面を取り囲む第２キャップ部１５４で構成される。第１キャップ部１５２の内径はランプチューブ１１０の外径に対応し、第２キャップ部１５４の内径はリードワイヤ１４０の外径に対応する。第２キャップ部１５４の内径は第１キャップ部１５２の内径より小さく形成される。
【００３５】
一方、冷陰極蛍光ランプ１００の製造方法には、リードワイヤ１４０と導電キャップ１５０との間に導電性接着剤１６０を形成する工程がさらに追加されても良い。即ち、導電キャップ１５０をランプ本体１１０の両端部に結合する前に、リードワイヤ１４０の外面上に導電性接着剤１６０を塗布するか、または導電キャップ１５０の内面に導電性接着剤１６０を塗布した後、導電キャップ１５０をランプ本体１１０の両端部に結合する。それにより、導電性接着剤１６０はリードワイヤ１４０と導電キャップ１５０との間に配置される。導電性接着剤１６０はリードワイヤ１４０と導電キャップ１５０との間、ランプチューブ１１０と導電キャップ１５０との間にも配置されることができる。
【００３６】
導電性接着剤１６０は導電キャップ１５０をランプチューブ１４０の端部に安定的に固定させることと同時に、リードワイヤ１４０と導電キャップ１５０とを電気的に安全に連結させる。導電性接着剤１６０は、例えば、銀粒子を含む銀ペーストからなる。
図３は本発明の一実施例によるバックライトアセンブリを示した分解斜視図である。本実施例において、冷陰極蛍光ランプは図１及び図２に示されたのと同一であるので、同一の参照番号を使用し、その重複した説明は省略する。
【００３７】
図３に示すように、本発明の一実施例によるバックライトアセンブリ２００は収納容器２１０、固定部材２２０及び冷陰極蛍光ランプ１００を含む。
収納容器２１０は、底部２１２、及び底部２１２の端部から延長され収納空間を備える側部２１４で構成される。収納容器２１０は強度の優れた変形の少ない物質からなる。例えば、収納容器２１０は金属からなる。
【００３８】
固定部材２２０は収納容器２１０内部の両サイドに配置される。固定部材２２０には冷陰極蛍光ランプ１００が固定される。固定部材２２０はインバータから提供されるランプ駆動電源を冷陰極蛍光ランプ１００に印加するために導電性金属からなる。
冷陰極蛍光ランプ１００は固定部材２２０に結合され互いに並行に配置される。冷陰極蛍光ランプ１００は両端部に形成された導電キャップ１５０領域が固定部材２２０に結合される。従って、冷陰極蛍光ランプ１００はインバータ２４０から固定部材２２０を経て導電キャップ１５０に印加されるランプ駆動電源に反応して光を発生する。
【００３９】
図４は図３に示された固定部材と冷陰極蛍光ランプとの結合関係を示す斜視図である。
図４に示すように、固定部材２２０は冷陰極蛍光ランプ１００の導電キャップ１５０領域が挿入固定されるクリップ部２２２、及びクリップ部２２２を連結する連結部２２４を含む。
クリップ部２２２は冷陰極蛍光ランプ１００が結合できるように連結部２２４から上部方向に突出された構造を有する。クリップ部２２２は冷陰極蛍光ランプ１００が挿入できるように上部が開口された形状を有し、導電キャップ１５０の外面を取り囲む形状を有する。
【００４０】
クリップ部２２２は冷陰極蛍光ランプ１００の等間隔配置のために、互いに同一の間隔で離隔されるように配置される。これとは異なり、位置によって冷陰極蛍光ランプ１００の間隔を互いに異なるように配置するために、クリップ部２２２は互いに異なる間隔に配置されてもよい。
連結部２２４は冷陰極蛍光ランプ１００の長さ方向に概ね垂直な方向に延長されクリップ部２２２を互いに連結する。
【００４１】
クリップ部２２２に固定される導電キャップ１５０は図２に示されたように、ランプチューブ１１０の外面を取り囲む第１キャップ部１５２と、リードワイヤ１４０を取り囲む第２キャップ部１５４と、で構成される。本実施例において、冷陰極蛍光ランプ１００は第１キャップ部１５２領域がクリップ部２２２に結合される。
このように、冷陰極蛍光ランプ１００の導電キャップ１５０領域をクリップ部２２２に挿入固定することで、冷陰極蛍光ランプ１００の組立性を向上させることができる。また、冷陰極蛍光ランプ１００が結合されるクリップ部２２２は連結部２２４を通じて互いに連結されているので、冷陰極蛍光ランプ１００の並列駆動が可能となる。
【００４２】
図５は本発明の他の実施例による固定部材と冷陰極蛍光ランプとの結合関係を示した斜視図である。
図５に示すように、本発明の他の実施例による固定部材２３０は冷陰極蛍光ランプ１００の導電キャップ１５０領域が挿入固定されるクリップ部２３２、及びクリップ部２３２を連結する連結部２３４を含む。
【００４３】
クリップ部２３２は冷陰極蛍光ランプ１００の第２キャップ部１５４が結合できるように連結部２３４から上部方向に突出した構造を有する。クリップ部２３２は冷陰極蛍光ランプ１００が挿入される内側に折れ曲がった構造を有することで、所定の弾性力を有するようになる。従って、クリップ部２３２に挿入された冷陰極蛍光ランプ１００の第２キャップ部１５４はクリップ部２３２の弾性によって安定的に固定される。
【００４４】
クリップ部２３２は冷陰極蛍光ランプ１００が等間隔で配置されるために、互いに同一の間隔で離隔されるように配置される。これとは異なり、位置によって冷陰極蛍光ランプ１００の間隔を互いに異なるように配置するために、クリップ部２３２は互いに異なる間隔に配置されてもよい。
連結部２３４は冷陰極蛍光ランプ１００の長さ方向に垂直な方向に延長されクリップ部２３２を互いに連結する。
【００４５】
クリップ部２３２に固定される導電キャップ１５０は図２に示されたように、ランプチューブ１１０の外面を取り囲む第１キャップ部１５２、及びリードワイヤ１４０を取り囲む第２キャップ部５１４で構成される。本実施例において、冷陰極蛍光ランプ１００は第２キャップ部１５４領域がクリップ部２３２に結合される。
一方、クリップ部２３２の上部には冷陰極蛍光ランプ１００の離脱を防止するための別途の離脱防止部材（図示せず）がさらに配置されてもよい。
【００４６】
なお、図２に示すようにリードワイヤ１４０の端部は、ランプチューブ１１０内部の内部電極１３０と接続される、リードワイヤ１４０の一方の端部は、ランプチューブ１１０の外側に突出するように引き出されている。ここで、図４に示すように導電キャップ１５０の第１キャップ１５２領域とクリップ部２２２とを結合する場合には、リードワイヤ１４０の一方の端部は、ランプチューブ１１０の外側に突出する必要はなく、導電キャップ１５０とリードワイヤ１４０の一方の端部とが電気的に接続する程度に形成されていれば良い。この場合には、キャップ１５０は第１キャップ１５２のみから形成されていても良い。
【００４７】
リードワイヤ１４０の一方の端部がランプチューブ１１０の外側に突出するように引き出されている場合は、図５に示すように導電キャップ１５０の第２キャップ領域１５４とクリップ部２２２とを結合する場合に好適である。
図３に示すように、バックライトアセンブリ２００は冷陰極蛍光ランプ１００の駆動のためのランプ駆動電源を発生するインバータ２４０、及び冷陰極蛍光ランプ１００の上部に配置される光学部材２５０をさらに含む。
【００４８】
インバータ２４０は収納容器２１０の背面に配置される。インバータ２４０は外部から印加される低電位の交流電源を冷陰極蛍光ランプ１００の駆動に適合した高電位の交流電源に変更してランプ駆動電源を出力する。
インバータ２４０と固定部材２２０は第１及び第２電源線２４２、２４４を通じて連結される。インバータ２４０から出力されるランプ駆動電源は第１及び第２電源線２４２、２４４と導電性の固定部材２２０を通じて冷陰極蛍光ランプ１００の導電キャップ１５０に供給される。従って、固定部材２２０に並列に結合されている冷陰極蛍光ランプ１００はインバータ２４０から提供されるランプ駆動電源によって並列に駆動される。
【００４９】
光学部材２５０は冷陰極蛍光ランプ１００の上部に配置され出射される光の輝度特性を向上させる。光学部材２５０は光の拡散のための拡散板２５２、及び光の輝度を増加させるための少なくとも一つの光学シート２５４で構成される。
拡散板２５２は冷陰極蛍光ランプ１００から発生された光を拡散させ輝度均一性を向上させる。拡散板２５２は所定の厚さを有する矩形プレート形状を有する。拡散板２５２は第２サイドモールド２８０の支持によって冷陰極蛍光ランプ１００と一定の間隔に離隔され配置される。拡散板２５２は、一例で、ポリメチルメタクリレート（ＰＭＭＡ）材質からなり、内部に光の拡散のための拡散剤を含むことができる。
【００５０】
光学シート２５４は拡散板２５２の上部に配置され、拡散板２５２を通じて拡散された光の経路をもう一度変更して輝度を向上させる。光学シート２５４は拡散板２５２を通じて拡散された光を正面方向に集光させ光の正面輝度を向上させるためのプリズムシートを含むことができる。また、光学シート２５４は拡散板２５２を通じて拡散された光をもう一度拡散させ輝度均一性を向上させるための拡散シートを含むことができる。また、光学シート２５４は特定の条件を満足する光は透過させ残りの光は反射させる方式で光の輝度を増加させる反射偏光シートを含むことができる。一方、バックライトアセンブリ２００には要求される輝度特性によって多様な機能の光学シートが追加されたりまたは除去されることができる。
【００５１】
バックライトアセンブリ２００は冷陰極蛍光ランプ１００の下部に配置される反射板２６０をさらに含む。反射板２６０は収納容器２１０の底部２１２上に配置され、冷陰極蛍光ランプ１００から発生された光を上部方向に反射させ光の利用効率を向上させる。反射板２６０は光反射率の高い物質からなる。例えば、反射板２６０は白色のポリエチレンテレフタレート（Ｐｏｌｙｅｔｈｙｌｅｎｅ  Ｔｅｒｅｐｈｔｈａｌａｔｅ：ＰＥＴ）またはポリカボネート（Ｐｏｌｙ  Ｃａｒｂｏｎａｔｅ：ＰＣ）材質からなる。一方、収納容器２１０自体が光反射率の高い物質からなる場合、収納容器２１０により光を反射することができるので、反射板２６０を除去することができる。
【００５２】
バックライトアセンブリ２００は、収納容器２１０と固定部材２２０との間に配置され、固定部材２２０が結合される第１サイドモールド２７０、及び冷陰極蛍光ランプ１００の導電キャップ１５０領域をカバーする第２サイドモールド２８０をさらに含む。
第１サイドモールド２７０は冷陰極蛍光ランプ１００の両端部に対応して収納容器２１０内部の両サイドに配置される。第１サイドモールド２７０は固定部材２２０が固定される結合部２７２、及び結合部２７２から垂直に延長される側壁２７４で構成される。結合部２７２は収納容器２１０の底部２１２に対応し、側壁２７４は収納容器２１０の側部２１４に対応する。第１サイドモールド２７２は金属材質である収納容器２１０と導電性固定部材２２０と間の絶縁のために絶縁物質からなる。
【００５３】
第２サイドモールド２８０は、実質的に光の出射されない冷陰極蛍光ランプ１００の導電キャップ１５０領域を遮ることで、暗部を除去し輝度均一性を向上させる。また、第２サイドモールド２８０は上部に配置される光学部材２５０を支持し、光学部材２５０の収納位置をガイドする。第２サイドモールド２８０は光学部材２５０の収納位置をガイドするためのガイド部２８２をさらに含むことができる。
【００５４】
図６は図３に示された第２サイドモールドの背面を示した斜視図である。
図３及び図６に示すように、第２サイドモールド２８０は収納容器２１０の底部２１２と並行である上部面２８２、及び上部面２８２から底部２１２方向に延長される反射面２８４を含む。反射面２８４には冷陰極蛍光ランプ１００の位置に対応して開口２８６が形成される。
【００５５】
第２サイドモールド２８０は上部面２８２から固定部材２２０の方向に突出された隔壁２８８をさらに含むことができる。隔壁２８８は冷陰極蛍光ランプ１００の間に対応するように、即ち、固定部材２２０のクリップ部２２２の間に対応するように形成される。
隔壁２８８は固定部材２２０の連結部２２４を押さえ、連結部２２４が流動されたり浮くことを防止する。また、隔壁２８８は冷陰極蛍光ランプ１００の間に配置され、隣接した冷陰極蛍光ランプ１００の間の信号干渉による信号歪曲などの問題が発生されないように十分な絶縁距離を確保する役割を遂行する。
【００５６】
図７は本発明の一実施例による液晶表示装置を示した分解斜視図である。
図７に示すように、本発明の一実施例による液晶表示装置４００は光を供給するバックライトアセンブリ２００、及びバックライトアセンブリ２００からの光を用いて画像を表示する表示ユニット５００を含む。
本実施例において、バックライトアセンブリ２００はミドルモールド４１０を含むことを除いては図１乃至絶図６に示された実施例と同一の構成を有することができる。従って、その重複される詳細な説明は省略する。
【００５７】
ミドルモールド４１０は収納容器２１０と結合され光学部材２５０を固定する。ミドルモールド４１０は光学部材２５０の端部を固定しながら収納容器２１０の側部２１４と結合する。ミドルモールド４１０は上部に安着される液晶表示パネル５１０の収納位置をガイドする。ミドルモールド４１０は大きさが大きくなるほど一つの一体型に製作しにくくなるので、二つまたは四つの欠片に分割された構造を有する。
【００５８】
表示ユニット５００はバックライトアセンブリ２００の上部に配置され画像を表示する液晶表示パネル５１０、及び液晶表示パネル５１０を駆動させる駆動回路部５２０を含む。
液晶表示装パネル５１０は第１基板５１２、第１基板５１２と対向して結合される第２基板５１４、及び第１基板５１２と第２基板５１４との間に介在された液晶層５１６を含む。
【００５９】
第１基板５１２はスイッチング素子である薄膜トランジスタ（以下、ＴＦＴ）がマトリックス形態に形成されたＴＦＴ基板である。一例で、第１基板５１２は光の透過のために透明のガラス材質からなる。前記ＴＦＴのソース端子及びゲート端子にそれぞれデータライン及びゲートラインが連結され、ドレイン端子には透明な導電性材質からなる画素電極が連結される。
【００６０】
第２基板５１４は色を具現するためのＲＧＢ画素が薄膜形態に形成されたカラーフィルタ基板である。第２基板５１４は、一例で、透明なガラス材質からなる。第２基板５１４には透明な導電性材質からなる共通電極が形成される。
このような構成を有する液晶表示パネル５１０では前記ＴＦＴのゲート端子に電源が印加されＴＦＴがターンオンされると、画素電極と共通電極との間には電界が形成される。このような電界によって第１基板５１２と第２基板５１４との間に介在された液晶層５１６の液晶分子の配列が変化され、液晶分子の配列変化によってバックライトアセンブリ２００から供給される光の透過度が変更され所望する諧調の画像を表示するようになる。
【００６１】
駆動回路部５２０は液晶表示パネル５１０にデータ駆動信号を供給するデータ印刷回路基板５２２、液晶表示パネル５１０にゲート駆動信号を供給するゲート印刷回路基板５２４、データ印刷回路基板５２２を液晶表示装パネル５１０に連結するデータ駆動回路フィルム５２６、及びゲート印刷回路基板５２４を液晶表示パネル５１０に連結するゲート駆動回路フィルム５２８を含む。
【００６２】
データ駆動回路フィルム５２６及びゲート駆動回路フィルム５２８は、例えば、テープキャリアパッケージ（ＴＣＰ）またはチップオンフィルム（ＣＯＦ）からなる。一方、ゲート印刷回路基板５２４は液晶表示パネル５１０及びゲート駆動回路フィルム５２８に別途の信号配線を形成することで、制御されることができる。
液晶表示装置４００は表示ユニット５００を固定するためのトップシャーシをさらに含む。トップシャーシ４２０は収納容器２１０と結合され液晶表示パネル５１０の端部を固定する。この際、データ印刷回路基板５２２はデータ駆動回路フィルム５２６によってベンディングされ収納容器２１０の側部２１４または底部２１２に固定される。トップシャーシ４２０は、一例で、変形の少ない強度の優れた金属からなる。
【００６３】
このような冷陰極蛍光ランプ、それの製造方法、それを有するバックライトアセンブリ及び液晶表示装置によると、ランプチューブの両端部にリードワイヤと連結されるように導電キャップを結合することで、
ランプワイヤとの半田付け工程を除去し、ランプワイヤとの断線による駆動不良を防止することができる。
【００６４】
また、冷陰極蛍光ランプの導電キャップ領域を固定部材のクリップ部に簡単に挿入固定することで、冷陰極蛍光ランプの組立性を向上させることができる。
また、冷陰極蛍光ランプが結合されるクリップ部は連結部を通じて互いに連結されているので、冷陰極蛍光ランプに対する並列駆動が可能となる。従って、インバータの個数を減少させエッチング製造原価を節減することができる。
【００６５】
以上、本発明の実施例によって詳細に説明したが、本発明はこれに限定されず、本発明が属する技術分野において通常の知識を有するものであれば本発明の思想と精神を離脱することなく、本発明を修正または変更できる。
【産業上の利用可能性】
【００６６】
本発明は、冷陰極蛍光ランプを用いる表示装置に好適である。
【図面の簡単な説明】
【００６７】
【図１】本発明の一実施例による冷陰極蛍光ランプを示した斜視図である。
【図２】図１のＩ−Ｉ‘線に沿って切断した断面図である。
【図３】本発明の一実施例によるバックライトアセンブリを示した分解斜視図である。
【図４】図３に示された固定部材と冷陰極蛍光ランプとの結合関係を示した斜視図である。
【図５】本発明の他の実施例による固定部材と冷陰極蛍光ランプとの結合関係を示した斜視図である。
【図６】図３に示された第２サイドモールドの背面を示した斜視図である。
【図７】本発明の一実施例による液晶表示装置を示した分解斜視図である。
【符号の説明】
【００６８】
１００      冷陰極蛍光ランプ
１１０      ランプチューブ
１２０      蛍光層
１３０      内部電極
１４０      リードワイヤ
１５０      導電キャップ
１５２      第１キャップ部
１５４      第２キャップ部
１６０      導電性接着剤
２００      バックライトアセンブリ
２１０      収納容器
２２０      固定部材
２２２      クリップ部
２２４      連結部
２４０      インバータ
２５０      光学部材
２６０      反射板
２７０      第１サイドモールド
２８０      第２サイドモールド
４００      液晶表示装置
４１０      ミドルシャーシ
４２０      トップシャーシ
５００      表示ユニット
５１０      液晶表示パネル
５２０      駆動回路部
【図１】
2006351529.tif 000003
【図２】
2006351529.tif 000004
【図３】
2006351529.tif 000005
【図４】
2006351529.tif 000006
【図５】
2006351529.tif 000007
【図６】
2006351529.tif 000008
【図７】
2006351529.tif 000009